(57)【特許請求の範囲】
【請求項１】
香箱真（２０）を含む時計ムーブメント用香箱であって、香箱真（２０）の周りに回転運動可能な形態で、香箱ぜんまい（５１）を収容するためのハウジング（５０）を規定するドラム（３０）及びカバー（４０）からなるアセンブリが配置され、前記ドラム（３０）及び前記カバー（４０）はそれぞれ香箱真（２０）の位置に前記香箱の周辺端（３４，４４）から香箱の中心端へ延びる壁（３１、４１）を有する、時計ムーブメント用香箱において、前記壁（３１、４１）のうち少なくとも１つの少なくとも一部は、前記ドラム（３０）の半径（ｒ）の少なくとも半分の距離にわたり、前記香箱の前記周辺端から離れるほど連続して厚くなる変化する厚みを有することを特徴とする、時計ムーブメント用香箱。
【請求項２】
前記ドラム（３０）または前記カバー（４０）の前記壁（３１、４１）の一部は、前記香箱真（２０）の前記軸（Ａ）に実質的に直角の内側表面（３２、４２）と、内側表面（３２、４２）から離れる方向に延び、香箱真（２０）に接近するにつれ前記壁（３１，４１）の前記厚みが増加するよう、前記香箱真（２０）の前記軸（Ａ）に対して傾斜する外側表面（３３、４３）を含む、請求項１記載の時計ムーブメント用香箱。
【請求項３】
変化する厚みを有する前記ドラム（３０）または前記カバー（４０）の壁（３１、４１）の一部は、周辺端（３４、４４）から中心端へ延びる、及びまたは前記ドラム（３０）の前記半径（ｒ）の少なくとも２／３の距離にわたり延びることを特徴とする、請求項１または２に記載の時計ムーブメント用香箱。
【請求項４】
前記ドラム（３０）または前記カバー（４０）の壁（３１、４１）の一部は、香箱真 （２０）の前記軸（Ａ）に直角の平面に対して０．５度以上の角度、または０．５度以上５度以下の角度、または０．５度以上２度以下の角度、または０．５度以上１．５度以下の角度、の傾斜角を有する外壁（３３、４３）を有することを特徴とする、請求項１から３のいずれか一項に記載の時計ムーブメント用香箱。
【請求項５】
前記壁の前記部分の前記最大厚みｅ１と最小厚みｅ２との比率は、１．４以上、及びまたは壁の前記部分の前記最大厚みｅ１は０．１８ｍｍ以下、または０．１５ｍｍ以下、及びまたは前記最小厚みｅ２は０．１３ｍｍ以下、または０．１ｍｍ以下であることを特徴とする、請求項１から４のいずれか一項に記載の時計ムーブメント用香箱。
【請求項６】
前記ドラム（３０）及びまたは前記カバー（４０）は、その中心端に、香箱真（２０）周りの回転案内用の、香箱真（２０）との少なくとも１つの接触表面（３６、３７、４６、４７）を有する隆起物（３５、４５）を含むことを特徴とする、請求項５に記載の時計ムーブメント用香箱。
【請求項７】
前記隆起物（３５、４５）の前記高さｈｓと壁の前記部分の前記最大厚みｅ２との比率は、３以上であることを特徴とする、請求項６に記載の時計ムーブメント用香箱。
【請求項８】
前記ドラム（３０）の前記直径は、２０ｍｍ以下であることを特徴とする、請求項１から７のいずれか一項に記載の時計ムーブメント用香箱。
【請求項９】
前記ドラム（３０）及びまたは前記カバー（４０）は、前記香箱の外側に、時計ムーブメントと接触する半径方向または軸方向の案内表面を有さないことを特徴とする、請求項１から８のいずれか一項に記載の時計ムーブメント用香箱。
【請求項１０】
前記ドラム（３０）及びまたは前記カバー（４０）は、例えば真鍮等の銅合金であって、素材の除去による生産に適した素材で製造されることを特徴とする、請求項１から９のいずれか一項に記載の時計ムーブメント用香箱。
【請求項１１】
請求項１から１０に記載の香箱を含む、時計ムーブメント。
【請求項１２】
直径は４０ｍｍ以下である、請求項１１記載の時計ムーブメント。
【請求項１３】
請求項１から１０に記載の香箱を含む、または請求項１１または１２に記載の時計ムーブメントを含む、小型時計、特に腕時計などの、時計。
【請求項１４】
ブリッジや板などの２つのムーブメント・ブランクでありその間に香箱真（２０）が設置されるムーブメント・ブランクを含み、前記香箱真（２０）はその端部に前記ムーブメント・ブランクと協働する香箱用の半径方向及び軸方向の案内表面を含む時計であって、前記香箱真（２０）は、ドラム（３０）及びカバー（４０）の回転用の軸方向（３７、４７）及び半径方向（３６、４６）の案内表面を含むことを特徴とする、請求項１３に記載の時計。
【請求項１５】
香箱ぜんまい（５１）を収容するハウジング（５０）を規定することを意図するドラム（３０）及びまたはカバー（４０）であって、それぞれ香箱真（２０）の位置で香箱の周辺端（３４、４４）から香箱の中心端へ向かって延びる壁（３１、４１）を有するドラム（３０）及びまたはカバー（４０）の素材除去による生産ステップを含む時計ムーブメント用香箱の製造方法であって、前記壁（３１、４１）のうち少なくとも１つの少なくとも一部の、前記ドラム（３０）の半径（ｒ）の少なくとも半分の距離にわたり、前記ドラムの前記周辺端から離れるにつれ、連続して増加する厚みを生成する、時計ムーブメント用香箱の製造方法。
【発明の詳細な説明】
【技術分野】
【０００１】
本発明は、時計ムーブメント用香箱、時計ムーブメント、及び当該香箱を有する時計に関する。本発明はまた、時計ムーブメント用香箱の製造方法に関する。
【背景技術】
【０００２】
図１は、伝統的な従来技術構造による香箱を示す。部分的に図示されるように、香箱は、香箱真１からなり、香箱真１の周りには、ハウジング４の範囲を定めるドラム２及びカバー３からなるアセンブリが回動可能に配置され、ハウジング４の中には、部分的に図示される香箱ぜんまい１５が配置される。当該ぜんまいは、時計ムーブメントの動作に必要なエネルギーを伝達するため、そのパワーリザーブを決定する。２つの端部において、真は、時計ムーブメントの、例えばブリッジや板といった２つのムーブメント・ブランク１０の部品であって、その間に香箱真が設置される部品と協働する、端部５及び座面６を有する。これら端部５及び座面６は、運動中の香箱の半径方向及び軸方向の案内を規定し、半径方向及び軸方向の振動または間隙を最小限にする。
【０００３】
ドラム２及びカバー３は、香箱真１周りに配置され、香箱の真に対して垂直に延びる平坦なディスクを形成する。ドラム２及びカバー３は、その中心において、香箱真１の軸Aに直角である、香箱真１の座面との第一接触面８を形成する、環状隆起物７を含む。これら環状隆起物はまた、香箱真の軸に平行であり、香箱真１の実質的に円筒状の円周上に配置される、香箱真との第二接触面９を形成する。このことにより、ドラム／カバーアセンブリにおいて確実な回転を保証し、間隙を最低限に減少させることを可能とする。
【０００４】
可能な限り最大限のパワーリザーブを得るためには、可能な限り大きなぜんまい１５を用いる必要があり、このためには、ドラム２及びカバー３の夫々の内側表面で規定される、ハウジング４の高さｈを最大とすることが必要となる。上述した形状を有することから、ドラム２及びカバー３は一般的に素材を除去することにより、特にバーの回転により製造され、香箱の正確な作動に対応する平坦さを保証するため、その各壁は０．２ｍｍ程度の最低厚みを必要とする。
【０００５】
このため、こうした従来技術の解決法は効率的な香箱を得ることを可能とする。しかしながら、時計ムーブメント内の香箱ぜんまい用に設けられたハウジングの容積を拡大することはできず、このため時計ムーブメントのパワーリザーブを増加することもできない。
【０００６】
特許文献１は、香箱真の軸に平行の方向での香箱の間隙が、少なくとも部分的に、ドラム及びカバーの、時計ムーブメントのブリッジ及び板との直接の協働により得られる、代替の構造によるドラムを開示する。当該構造は、前述の伝統的な構造に比較して、香箱ぜんまいの高さを増加させることを可能とする。しかしながら、当該構造は、ドラムの著しい軸方向遊びを生じ、そのため摩耗の危険性が増す。このため採用することはできない。
【先行技術文献】
【特許文献】
【０００７】
【特許文献１】欧州特許出願公開第２５７０８６１号公報
【発明の概要】
【発明が解決しようとする課題】
【０００８】
このため、本発明は、時計ムーブメントのパワーリザーブを最大としつつも、効率的且つ信頼性の高い香箱を提供することを目的とする。
【課題を解決するための手段】
【０００９】
このため、本発明は、香箱真を含む時計ムーブメント用香箱であって、香箱真の周りに回転運動可能な形態で、香箱ぜんまいを収容するためのハウジングを規定するドラム及びカバーからなるアセンブリが配置され、前記ドラム及び前記カバーはそれぞれ香箱真の位置に前記香箱の周辺端から香箱の中心端へ延びる壁を有する、時計ムーブメント用香箱において、前記壁のうち少なくとも１つの少なくとも一部は、前記香箱の前記周辺端から離れるほど連続して厚くなる変化する厚みを有することを特徴とする、時計ムーブメント用香箱を提供する。
【００１０】
本発明は、請求項により明確に定義される。
【００１１】
本発明の目的、特徴、及び利点を、添付の図面を参照しつつ、以下の限定的でない態様で提示する特定の実施形態の説明によって、詳細に説明する。
【図面の簡単な説明】
【００１２】
【図１】図１は、伝統的な従来技術の構成による、香箱の一部分の断面図である。
【図２】図２は、本発明の実施態様による、香箱の一部分の断面図である。
【発明を実施するための形態】
【００１３】
図２は、本発明の実施形態による香箱を示す。香箱は、香箱真２０を有し、香箱真２０の周りには、その内部に香箱ぜんまい５１が配置されるハウジング５０の範囲を規定するドラム３０及びカバー４０からなる回転アセンブリが、回動可能に配置される。香箱真２０は回転軸Ａを有し、図示しない時計ムーブメントの２つのムーブメント・ブランク間に設置される。各ムーブメント・ブランクは、例えば、ブリッジや板である。伝統的な従来技術の解決法と同様、当該香箱真は、ムーブメント・ブランクと協働するよう設計された２つの端部におけるリンクにより、回転アセンブリの回転運動を案内し、時計ムーブメントに対する香箱の軸方向及び半径方向の間隙を制限する。このため、軸Ａは、香箱の回転軸でもある。
【００１４】
ドラム３０及びカバー４０は、ここでは周辺端３４、４４と称する第一端と、その回転軸を形成し、ここでは中央端と称する、香箱真２０の位置にある第二端を有する。その周辺端において、あるいはほぼ周辺端において、ドラム３０及びカバー４０は、ハウジング５０と接触しハウジング５０を閉じるため、肘部または曲げ部を形成してもよい。両端の間で、ドラム３０及びカバー４０の壁３１、４１は、好ましくは香箱の軸に直角な正中面に対して対称的な、類似の形状を有する。
【００１５】
香箱真２０及びその周辺端３４間に延びるドラム３０の壁３１は、ハウジング５０の内部に向かう内側表面３２と、反対の外側表面３３からなる。内側表面３２は、香箱真の軸に実質的に直角であり、香箱真の軸に実質的に直角な平面に平坦なディスクを形成し、これにより実質的に長方形断面のハウジング５０の範囲を規定することが可能となり、また香箱真の周りに円筒形部を形成する。外側表面３３は、内側表面３２及び外側表面３３間で計るドラムの壁３１の厚みが中心から周辺に向かって継続的に減少するよう、香箱真の軸に対して直角の方向からわずかに傾斜する。
【００１６】
ドラム３０の壁３１は、その中央端で厚みを増して、円筒部の形状の隆起物３５を形成する。当該隆起物の中央表面３６は、香箱真２０の軸と実質的に平行であり、真の全周辺において、真と接触し、これにより半径方向の間隙を最小限にすることで真周りの回転を案内する。隆起物３５の内側表面３７は、香箱真２０の軸と実質的に直角であり、香箱真の大きい方の直径２１の中央部分で形成された対応表面を支える。この表面により、回転アセンブリの軸方向間隙が最小限になる。最後に、ドラム３０の中央端に配置された当該隆起物３５は、回転アセンブリの遊びを少なくしつつ、軸方向及び半径方向の案内を可能とする。このため隆起物は、隆起物３５においてドラム３０の内側表面３７及び外側表面３８間で計測された高さｈｓを有する。この高さｈｓは、隆起物３５を除いたドラムの壁の最大厚みより少なくとも２倍大きく、ドラムの壁の最小厚みより少なくとも３倍大きい。
【００１７】
一方、この解決法は、ドラム３０及びカバー４０を有し、ドラム３０及びカバー４０は、その間に香箱が設置される時計ムーブメントのムーブメント・ブランクに対して、香箱を軸方向に保持することには関与しない。このため、ドラム及びカバーは、ムーブメント・ブランクに対して、特にブリッジまたは板に対して、接触部分または接触する案内表面を有さない。香箱真自身がこの機能を有する。
【００１８】
最大限のパワーリザーブを有する最大の香箱ぜんまいを利用できるよう、この隆起物３５を超えると、時計ムーブメント、特にその間に香箱が搭載される２つのムーブメント・ブランク、により必要となる延長不可能で限定的な容積内に、最大のハウジング５０を形成できるように、壁３１の厚みは大きく減少され、最小化される。壁３１は、その周辺端３４で最小厚みｅ２を有する。この壁の外側表面３３は傾斜しており、壁３１の厚みを連続して増加させ隆起物３５との境界線における中心端で最大厚みｅ１を得るよう、内側表面３２から離れる方向に連続して、ドラム３０の隆起物３５との境界線まで延びる。好ましくは、外側表面３３の外形は、図２に示すように、香箱の軸方向断面図において直線状である。
【００１９】
連続して変化する厚みを有するドラム３０の壁の当該部分は、伝統的な従来技術に基づく香箱の通常の壁より厚みの薄い壁を使用することを可能とする一方、カバー及びドラムの良好なアセンブリを保証するよう十分な固さを有し、バー回転式の素材除去法により、精密な繰り返し生産を可能とする。このため、好ましくは、ドラム及びまたはカバーは、例えば真鍮といった銅合金など、素材除去による生産に適した素材により製造される。
【００２０】
この結果としては、時計ムーブメントの寸法により香箱に必要とされる特定の容積に対して、香箱ぜんまい５１のハウジング５０の内部高さＨｉは、壁３１の厚みが減少したことにより、従来技術と比較して増加する。実用時において、試験や計算により、当該解決策は同一直径の従来技術香箱と比較して、時計ムーブメントの動作自律性が１０％程度増加可能である。
【００２１】
例示的な実施形態によれば、ドラム３０の壁３１の外側表面３３の傾斜は、０．５度程度である。更に一般的には、当該傾斜は０．５度以上５度以下、更には０．５度以上２度以下、更に好ましくは０．５度以上１．５度以下である。
【００２２】
上述した壁３１の断面は、香箱の回転軸と直角でありドラムの壁３１の内側表面を通過する回転軸を有する切り取られた半円錐台状の断面である。
【００２３】
ドラムの壁の形状は、小型の時計に、及び直径が４０ｍｍ以下、更には３５ｍｍ以下、更には３０ｍｍ以下、またはこのような円に内接する時計ムーブメントに特に適している。このため、例えば直径が２０ｍｍ以下のドラムに適している。例として、ある実施形態は、直径が１２ｍｍ程度のドラムであり、その壁の最小厚みｅ２が０．１ｍｍであって隆起物を除く最大厚みｅ２が０．１５ｍｍであるドラムに基づく。隆起物は、０．４５ｍｍの高さｈｓを有することができる。変形例として、最小厚みｅ２は、０．１ｍｍ以下、例えば０．０９ｍｍまたは０．０８ｍｍであってもよい。このような形状は、１．６ｍｍ以上の高さＨｉを有するハウジング５０を定義することが可能となる。更に一般的には、変化する厚みの壁部分の最大厚みｅ１は、０．１８ｍｍ以下、更には０．１５ｍｍ以下であり、変化する厚みの壁部分の最小厚みｅ２は、０．１３ｍｍ以下、更には０．１ｍｍ以下である。
【００２４】
当然、ドラムの壁３１は、本発明の概念から外れない範囲で他の形状を取ってもよい。第一に、変化する厚みの傾斜表面は、ドラムの周辺端から延びるが、中心端まで（隆起物との境界線直近まで）延びる必要はない。ドラムの半径ｒの一部のみ延ばしてもよい。この場合、一定厚みの追加壁により完成することができる。好ましいことに、変化する厚みの傾斜表面は、ドラムの半径ｒの少なくとも半分、更には２／３、延びる。注釈として、非常に短い傾斜表面、例えば単なる面取りは、より厚い部分を硬化させる役目を果たすものの、以下の欠点を有することが発見された。最大厚み部分が、全壁の大部分の長さを、特に大部分の半径を占め、当該解決策はムーブメントの少なくとも１つのムーブメント・ブランクを有する香箱と壁との近くで大きな寸法を有し、これは香箱ハウジングの容積を増加させない。または、最大厚み部分が、長さの小さな部分、特に半径の小さな部分を占め、当該解決策は、香箱のアセンブリ、特にカバーのドラムへのアセンブリにしては壁が弱くなりすぎるため、信頼性がない。更なる注釈として、面取りをするだけでは段差が形成されてしまい、本発明に反して、非連続的な構造となる。本発明によると、上述の通り、連続且つ十分な長さの傾斜表面により、技術問題を解決することができる。
【００２５】
更に、変化する厚みの壁の部分は、直線的に傾斜する平坦な外側表面以外の形状であり、好ましくは例えば曲面である。どんな場合であっても、表面の当該部分は連続的である。好ましくは、当該部分は、最小厚みｅ２を周辺端に向かって有し、最大厚みｅ１を中心端に向かって有する。
【００２６】
更に一般的には、ドラムの壁は変化する厚みの部分を有し、最大厚みｅ１から最小厚みｅ２まで減少し、ｅ１／ｅ２の比率が１．４以上である。加えて、壁は、好ましくは中心端に高さｈｓの隆起物を有し、当該高さと上記の最小厚みの比率ｈｓ／ｅ２は３以上である。
【００２７】
上述の通り、カバー４０は、好ましくはドラム３０の形状と同一且つ対称の形状を有する。このため、ドラムに関して詳細に述べた全ての説明は、カバーに適用可能である。周辺にある２つの要素の曲げのみ変えることができる。２つの要素は、好ましくは香箱真の軸に実質的に平行な壁３９、４９を形成し、それらは様々な手段により、ハウジング５０を閉鎖するために協働する。
【００２８】
このため、カバー４０もまた、ドラムと同様、その中心端に隆起物４５を有し、該隆起物は、香箱真２０が軸方向及び半径方向に最小限の間隙で固定されるよう、２つの表面４６、４７が香箱真２０の対応する表面と接触する。更に、隆起物とは別に、好ましくは外形が香箱の軸方向断面において直線状である傾斜する外部表面４３を有し、これにより隆起物４５との境界の最大厚みｅ１から上部表面の周辺端４４の最小厚みｅ２まで連続して厚みを減少させることができる。壁４１の内側表面４４は、香箱真の軸に直角な平面である。
【００２９】
当然、ドラム３０及びカバー４０のそれぞれの２つの壁３１、４１のうち１つが、上述の形状を有している、他の実施形態を考案することも可能である。他の変形例によれば、２つの壁は、本発明の概念に基づく形状ではあるが、非対称である形状を取ることもできる。
【符号の説明】
【００３０】
２０    香箱真
３０    ドラム
４０    カバー
５０    ハウジング
【図１】
0006537371.tif 000002
【図２】
0006537371.tif 000003